(57)【要約】【課題】迅速にかつ確実に所定量の収容物を吐出できる、定量吐出容器を提供する。【解決手段】定量吐出容器１０は、収容物として液状の薬剤Ｌを収容する容器本体１２、ねじ部３６をねじ部２２に螺合させることによって容器本体１２に取り付けられるキャップ１４、およびねじ部６６をねじ部２４に螺合させることによって容器本体１２に取り付けられるカバーキャップ１６を備える。ねじ部２４およびねじ部６６は、ねじ部２２およびねじ部３６に対して逆ねじに設けられる。カバーキャップ１６を周方向の一方向に回転させ矢印Ａ２方向に移動させることによって、キャップ１４が周方向の一方向に回転し矢印Ａ１方向に移動する。これによって、キャップ１４に取り付けられるパイプ４２の遮断部４４が容器本体１２の計量部３０に嵌入し、計量部３０が容器本体１２内の他の空間から遮断される。【選択図】図１
2007276860.tif 000002
【特許請求の範囲】
【請求項１】
軸方向の一方端側に開口部と前記軸方向の他方端側に底板とを有し、筒状に形成され収容物を収容するための容器本体、
前記容器本体に収容される前記収容物のうち所定量の前記収容物を収容するために前記底板に設けられる計量部、
前記収容物を外部に吐出するための吐出口を有し、前記開口部を覆いかつ前記軸方向に移動可能に前記容器本体に取り付けられるキャップ、
前記計量部の収容物を前記吐出口に与えるために前記キャップに設けられ前記キャップから前記軸方向かつ前記計量部側に延びるパイプ、
前記計量部の前記収容物を前記パイプ内に導入するための導入口を有し、前記パイプの前記計量部側端部に設けられ、前記キャップが前記計量部に近づくことによって前記計量部を前記容器本体内の他の空間から遮断し、前記キャップが前記計量部から遠ざかることによって前記計量部を前記他の空間に連通させる遮断部、および
前記キャップが前記計量部に近づくことによって前記導入口を開放し、前記キャップが前記計量部から遠ざかることによって前記導入口を閉鎖する第１栓手段を備え、
前記計量部に前記収容物が充填された状態で前記遮断部が前記計量部を遮断するとともに前記第１栓手段が前記導入口を開放することによって前記計量部に収容される所定量の前記収容物を吐出可能となる、定量吐出容器。
【請求項２】
前記容器本体に設けられる第１ねじ部、および
前記キャップに設けられ前記第１ねじ部に螺合する第２ねじ部をさらに含み、
前記キャップは、周方向の一方向に回転されることによって前記計量部に近づき、前記周方向の他の方向に回転されることによって前記計量部から遠ざかる、請求項１に記載の定量吐出容器。
【請求項３】
前記キャップを覆うように前記容器本体に取り付けられるカバーキャップ、
前記キャップの外周面に設けられる第１突起、
前記カバーキャップの内周面に設けられる第２突起、
前記第１ねじ部に対して逆ねじになるように前記容器本体に設けられる第３ねじ部、および
前記カバーキャップに設けられ前記第３ねじ部に螺合する第４ねじ部をさらに含み、
前記カバーキャップが前記周方向の一方向に回転されることによって前記第１突起が前記第２突起に押圧され前記キャップが前記周方向の一方向に回転される、請求項２に記載の定量吐出容器。
【請求項４】
前記第１栓手段は、前記遮断部内に設けられ前記導入口を閉鎖するための第１栓体と、前記第１栓体を前記計量部側に押圧する第１押圧部とを含み、
前記キャップの移動に伴って前記計量部に近づく前記第１栓体を止めるために前記計量部に設けられるストッパをさらに含む、請求項１から３のいずれかに記載の定量吐出容器。
【請求項５】
前記第１栓手段は、前記導入口を閉鎖するための第１栓体と、前記計量部に設けられ前記第１栓体を支持する支持部材とを含む、請求項１から３のいずれかに記載の定量吐出容器。
【請求項６】
前記吐出口から外部に突出し前記吐出口を閉鎖するための第２栓体と、前記第２栓体を外部側に押圧する第２押圧部とを含む第２栓手段をさらに含む、請求項１から５のいずれかに記載の定量吐出容器。
【発明の詳細な説明】
【技術分野】
【０００１】
この発明は定量吐出容器に関し、より特定的には、収容物を所定量ずつ吐出可能な定量吐出容器に関する。
【背景技術】
【０００２】
一般に、収容物を所定量ずつ吐出可能な定量吐出容器が知られている。その一例としてたとえば特許文献１には、容器本体の開口部を下側に配置することによって、つまり容器本体を逆さまに配置することによって、容器本体から開口部に設けられる計量部に収容物を流下させる定量吐出容器が開示されている。特許文献１の定量吐出容器では、収容物が計量部に充填された状態で容器本体の開口部を閉鎖するとともに計量部の吐出口を開放することによって、収容物の計量と吐出とが略同時に行われる。
【特許文献１】特開２００３−１２８１０９号公報
【発明の開示】
【発明が解決しようとする課題】
【０００３】
しかし、特許文献１の定量吐出容器では、容器本体を逆さまに配置した状態で収容物が計量部に充填されるまで待機しなければならず、収容物を迅速に計量できなかった。ひいては、所定量の収容物を迅速に吐出できなかった。
【０００４】
また、特許文献１の定量吐出容器では、人手によって容器本体を逆さまに配置する必要があるために、容器本体が傾いた状態で計量されるおそれがあり、収容物を正確に計量できないおそれがあった。ひいては、所定量の収容物を吐出できないおそれがあった。
【０００５】
それゆえに、この発明の主たる目的は、迅速にかつ確実に所定量の収容物を吐出できる、定量吐出容器を提供することである。
【課題を解決するための手段】
【０００６】
上述の目的を達成するために、請求項１に記載の定量吐出容器は、軸方向の一方端側に開口部と軸方向の他方端側に底板とを有し、筒状に形成され収容物を収容するための容器本体、容器本体に収容される収容物のうち所定量の収容物を収容するために底板に設けられる計量部、収容物を外部に吐出するための吐出口を有し、開口部を覆いかつ軸方向に移動可能に容器本体に取り付けられるキャップ、計量部の収容物を吐出口に与えるためにキャップに設けられキャップから軸方向かつ計量部側に延びるパイプ、計量部の収容物をパイプ内に導入するための導入口を有し、パイプの計量部側端部に設けられ、キャップが計量部に近づくことによって計量部を容器本体内の他の空間から遮断し、キャップが計量部から遠ざかることによって計量部を他の空間に連通させる遮断部、およびキャップが計量部に近づくことによって導入口を開放し、キャップが計量部から遠ざかることによって導入口を閉鎖する第１栓手段を備え、計量部に収容物が充填された状態で遮断部が計量部を遮断するとともに第１栓手段が導入口を開放することによって計量部に収容される所定量の収容物を吐出可能となる。
【０００７】
請求項２に記載の定量吐出容器は、請求項１に記載の定量吐出容器において、容器本体に設けられる第１ねじ部、およびキャップに設けられ第１ねじ部に螺合する第２ねじ部をさらに含み、キャップは、周方向の一方向に回転されることによって計量部に近づき、周方向の他の方向に回転されることによって計量部から遠ざかることを特徴とする。
【０００８】
請求項３に記載の定量吐出容器は、請求項２に記載の定量吐出容器において、キャップを覆うように容器本体に取り付けられるカバーキャップ、キャップの外周面に設けられる第１突起、カバーキャップの内周面に設けられる第２突起、第１ねじ部に対して逆ねじになるように容器本体に設けられる第３ねじ部、およびカバーキャップに設けられ第３ねじ部に螺合する第４ねじ部をさらに含み、カバーキャップが周方向の一方向に回転されることによって第１突起が第２突起に押圧されキャップが周方向の一方向に回転されることを特徴とする。
【０００９】
請求項４に記載の定量吐出容器は、請求項１から３のいずれかに記載の定量吐出容器において、第１栓手段は、遮断部内に設けられ導入口を閉鎖するための第１栓体と、第１栓体を計量部側に押圧する第１押圧部とを含み、キャップの移動に伴って計量部に近づく第１栓体を止めるために計量部に設けられるストッパをさらに含むことを特徴とする。
【００１０】
請求項５に記載の定量吐出容器は、請求項１から３のいずれかに記載の定量吐出容器において、第１栓手段は、導入口を閉鎖するための第１栓体と、計量部に設けられ第１栓体を支持する支持部材とを含むことを特徴とする。
【００１１】
請求項６に記載の定量吐出容器は、請求項１から５のいずれかに記載の定量吐出容器において、吐出口から外部に突出し吐出口を閉鎖するための第２栓体と、第２栓体を外部側に押圧する第２押圧部とを含む第２栓手段をさらに含むことを特徴とする。
【００１２】
請求項１に記載の定量吐出容器では、容器本体の開口部を上側に配置した状態で容器本体の底板に設けられる計量部に収容物が充填される。そして、この状態でキャップを計量部に近づけることによって、遮断部が計量部を遮断し、計量部に収容される収容物が容器本体内で隔離される。つまり、所定量の収容物が計量される。これとともに、第１栓手段が導入口を開放し、計量部に収容される所定量の収容物を吐出可能となる。通常、当該定量吐出容器は容器本体の開口部を上側に配置した状態で保管され、計量部には収容物が充填されているので、容器本体を逆さまに配置した状態で待機せずとも、迅速に計量でき所定量の収容物を吐出できる。また、容器本体を水平面上に配置して計量できるので、正確に計量でき、確実に所定量の収容物を吐出できる。
【００１３】
請求項２に記載の定量吐出容器では、容器本体の第１ねじ部にキャップの第２ねじ部を螺合させることによって、キャップが容器本体に取り付けられる。したがって、キャップを周方向の一方向に回転させることによって、簡単にかつ確実にキャップを軸方向に移動させることができる。
【００１４】
請求項３に記載の定量吐出容器では、カバーキャップを容器本体から取り外す際にカバーキャップを周方向の一方向に回転させることによって、キャップの第１突起がカバーキャップの第２突起に押圧され、キャップが周方向の一方向に回転される。したがって、カバーキャップを取り外すのみで、簡単に所定量の収容物を吐出可能な状態にできる。
【００１５】
請求項４に記載の定量吐出容器では、第１栓手段が第１栓体と第１押圧部とを含み、第１押圧部が第１栓体を計量部側に押圧することによって導入口を強固に閉鎖できる。また、キャップの移動に伴って計量部に近づく第１栓体がストッパに当たることによって導入口を簡単に開放できる。
【００１６】
請求項５に記載の定量吐出容器では、第１栓手段が第１栓体と支持部材とを含み、支持部材によって支持される第１栓体が所定位置に配置される。したがって、キャップの移動に伴って導入口が移動することによって、第１栓体と導入口とがずれて簡単に導入口を開閉できる。
【００１７】
請求項６に記載の定量吐出容器では、第２栓体と第２押圧部とを含む第２栓手段が設けられ、第２栓体を供給対象に押し当てることによって第２栓体が吐出口内に移動し収容物が供給対象に塗布される。このような第２栓手段を設けることによって、収容物を吐出可能な状態で当該定量吐出容器が倒れても吐出口から収容物が漏れることを防止できる。また、一箇所に供給する収容物の量を容易に調節できる。さらに、供給対象が人体である場合、第２押圧部によって外部側に押圧されクッション性を有する第２栓体によって良好な使用感を与えることができる。
【発明の効果】
【００１８】
この発明によれば、迅速かつ確実に所定量の収容物を吐出できる。
【発明を実施するための最良の形態】
【００１９】
以下、図面を参照して、この発明の実施の形態について説明する。
図１を参照して、この発明の一実施形態の定量吐出容器１０は、収容物を収容するための容器本体１２、容器本体１２に取り付けられるキャップ１４、および容器本体１２に取り付けられるカバーキャップ１６を備える。
【００２０】
容器本体１２は収容部１８と底部２０とを含む。収容部１８は、両端開口の略円筒状に形成され、開口部１８ａ，１８ｂを有する。底部２０は、底面開口の円筒状に形成され、容器本体１２の底板（底部２０の天板）２０ａを有する。収容部１８と底部２０とは、たとえば、ＰＰ（ポリプロピレン）、ＰＥＴ（ポリエチレンテレフタレート）、ＰＥ（ポリエチレン）、ＰＣ（ポリカーボネート）、またはＰＯＭ（ポリアセタール）等の合成樹脂からなる。
【００２１】
容器本体１２は、収容部１８の開口部１８ｂに底部２０を嵌合させることによって、軸方向（矢印Ａ１方向および矢印Ａ２方向）の一方端側に開口部１８ａと、軸方向の他方端側に底板２０ａとを有し、筒状に形成される。このような容器本体１２には、収容物としてたとえば育毛剤等の液状の薬剤Ｌが収容される。なお、図１には、開口部１８ａが上側に配置され、底部２０の底板２０ａに設けられる計量部３０（後述）に薬剤Ｌが充填された状態が示されている。
【００２２】
図２をも参照して、収容部１８には、開口部１８ａから矢印Ａ１方向にねじ部２２，２４が順に設けられる。ねじ部２２の外径はねじ部２４の外径よりも小さく、ねじ部２２の外周面には螺旋状に延びるねじ溝２２ａが形成される。また、ねじ部２４の外周面には、ねじ溝２２ａに対して逆ねじになるように螺旋状に延びるねじ溝２４ａが形成される。この実施形態では、ねじ部２２のねじ溝２２ａが左ねじに形成され、ねじ部２４のねじ溝２４ａが右ねじに形成されるものとする。
【００２３】
また、ねじ部２２，２４の間には、キャップ１４の突起３８ａ，３８ｂ（後述）が嵌合される嵌合部２６ａ，２６ｂが設けられる。図３をも参照して、嵌合部２６ａ，２６ｂは、互いに周方向（矢印Ｂ１方向および矢印Ｂ２方向）に半周分離れるように収容部１８の外周面に設けられ、それぞれ周方向に所定の間隔を有して配置される突起２８ａ，２８ｂによって構成される。
【００２４】
図１に示すように、底部２０の底板２０ａには、容器本体１２に収容される薬剤Ｌのうち所定量の薬剤Ｌを収容するための計量部３０が設けられる。計量部３０は円筒状に形成され、計量部３０の底板３０ａには矢印Ａ２方向に延びる棒状のストッパ３２が設けられる。
【００２５】
キャップ１４は、底面開口の円筒状に形成され、開口部１８ａを覆うように容器本体１２に取り付けられる。キャップ１４の天板の中央部には中空円錐台状のノズル部３４が設けられる。ノズル部３４は、薬剤Ｌを外部に吐出するためにノズル部３４の頂部に設けられる吐出口３４ａと、ノズル部３４内で吐出口３４ａに繋がる円環状の斜面３４ｂとを有する。
【００２６】
また、キャップ１４内には、円筒状のねじ部３６が設けられ、ねじ部３６の内周面にはねじ部２２のねじ溝２２ａに螺合するねじ山３６ａが形成される。キャップ１４は、ねじ山３６ａをねじ溝２２ａに螺合させることによって容器本体１２に回転可能に取り付けられる。このように容器本体１２に取り付けられるキャップ１４は、周方向の時計回り（矢印Ｂ１方向：図３参照）に回転されることによって矢印Ａ２方向に移動し、周方向の反時計回り（矢印Ｂ２方向：図３参照）に回転されることによって矢印Ａ１方向に移動する。つまり、キャップ１４は、矢印Ｂ１方向に回転されることによって計量部３０から遠ざかり、矢印Ｂ２方向に回転されることによって計量部３０に近づく。この実施形態では、ねじ部２２が第１ねじ部に相当し、ねじ部３６が第２ねじ部に相当する。
【００２７】
また、図３に示すように、キャップ１４の内周面には、それぞれ嵌合部２６ａまたは２６ｂの突起２８ａ，２８ｂの間に嵌合する突起３８ａ，３８ｂが設けられる。たとえば図３に示す状態からキャップ１４を矢印Ｂ２方向に回転させることによって、突起３８ａは、嵌合部２６ａの突起２８ｂを乗り越えて嵌合部２６ａから外れた後に、嵌合部２６ｂの突起２８ｂを乗り越えて嵌合部２６ｂに嵌合する。これとともに突起３８ｂは、嵌合部２６ｂの突起２８ａを乗り越えて嵌合部２６ｂから外れた後に、嵌合部２６ａの突起２８ａを乗り越えて嵌合部２６ａに嵌合する。このように突起３８ａ，３８ｂが嵌合部２６ａ，２６ｂに嵌合することによって、キャップ１４を所定角度（ここでは１８０°）で回転させた後にキャップ１４を固定できる。
【００２８】
また、キャップ１４の外周面には、互いに周方向に半周分離れるように突起４０ａ，４０ｂが設けられる。突起４０ａ，４０ｂはそれぞれ、キャップ１４の天板から矢印Ａ１方向に延びてキャップ１４の開口部に至る。このような突起４０ａ，４０ｂは、カバーキャップ１６の内周面に設けられる嵌合部６８ａ，６８ｂ（後述）に嵌合する。この実施形態では、突起４０ａ，４０ｂが第１突起に相当する。
【００２９】
さらに、キャップ１４の天板の下面には、計量部３０の薬剤Ｌを吐出口３４ａに与えるためのパイプ４２が取り付けられる。このようなキャップ１４は、たとえば、ＰＰ、ＰＥ、ＰＣ、ＰＯＭ、またはＡＢＳ（アクリロニトリル・ブタジエン・スチレン）等の合成樹脂からなる。
【００３０】
キャップ１４に取り付けられるパイプ４２はキャップ１４から矢印Ａ１方向に延びる円筒状に形成され、パイプ４２の計量部３０側端部には計量部３０に嵌入可能な遮断部４４が設けられる。遮断部４４は、計量部３０側に内径が小さくなるように形成され、計量部３０の薬剤Ｌをパイプ４２内に導入するための導入口４４ａと、遮断部４４内で導入口４４ａに繋がる円環状の斜面４４ｂとを有する。
【００３１】
遮断部４４内には、導入口４４ａを開閉するための中栓４６ａが配置される。中栓４６ａは、導入口４４ａを閉鎖するための栓体４８ａと、栓体４８ａを矢印Ａ１方向に押圧する押圧部５０ａとを含む。中栓４６ａは、たとえば、ＰＰまたはＰＥ等の合成樹脂からなる。この実施形態では、中栓４６ａが第１栓手段に相当し、栓体４８ａが第１栓体に相当し、押圧部５０ａが第１押圧部に相当する。
【００３２】
図４をも参照して、栓体４８ａは、円柱状に形成され導入口４４ａから計量部３０側に突出する小径部５２ａと、遮断部４４内に配置される大径部５４ａと、小径部５２ａと大径部５４ａとの間に設けられる円環状の斜面５６ａとを含む。栓体４８ａの小径部５２ａには、斜面５６ａに繋がる溝５８ａが形成される。
【００３３】
押圧部５０ａは、栓体４８ａの大径部５４ａから螺旋状に延びる複数（ここでは３つ）の弾性部材６０ａと、複数の弾性部材６０ａによって栓体４８ａに連結される両端開口の筒状部材６２ａとを含む。筒状部材６２ａの外周面には環状突起６４ａが設けられる。
【００３４】
図１に示すように、このような中栓４６ａでは、環状突起６４ａが遮断部４４の内周面に設けられる環状突起４４ｃに引っ掛かることによって筒状部材６２ａが位置決めされ、複数の弾性部材６０ａが栓体４８ａを矢印Ａ１方向に押圧する。これによって、栓体４８ａの斜面５６ａが遮断部４４の斜面４４ｂに隙間なく接し、導入口４４ａが閉鎖される。
【００３５】
また、図１に示すように、パイプ４２の開口部１８ａ側端部には、ノズル部３４内に突入するように外栓４６ｂが設けられる。中栓４６ａと外栓４６ｂとは略同様に構成されるので、ここでは符号「ａ」を「ｂ」に読み替えることによって外栓４６ｂの詳しい説明は省略する。この実施形態では、外栓４６ｂが第２栓手段に相当し、栓体４８ｂが第２栓体に相当し、押圧部５０ｂが第２押圧部に相当する。
【００３６】
外栓４６ｂでは、環状突起６４ｂがパイプ４２の内周面に設けられる環状突起４２ａに引っ掛かることによって筒状部材６２ｂが位置決めされ、複数の弾性部材６０ｂが栓体４８ｂを矢印Ａ２方向に押圧する。これによって栓体４８ｂの斜面５６ｂがノズル部３４の斜面３４ｂに隙間なく接し、吐出口３４ａが閉鎖される。
【００３７】
カバーキャップ１６は、底面開口の円筒状に形成され、キャップ１４を覆うように容器本体１２に取り付けられる。カバーキャップ１６の開口部近傍にはねじ部６６が設けられ、ねじ部６６の内周面にはねじ部２４のねじ溝２４ａに螺合するねじ山６６ａが形成される。カバーキャップ１６は、ねじ山６６ａをねじ溝２４ａに螺合させることによって容器本体１２に回転可能に取り付けられる。このように容器本体１２に取り付けられるカバーキャップ１６は、矢印Ｂ１方向（図３参照）に回転されることによって矢印Ａ１方向に移動し、矢印Ｂ２方向（図３参照）に回転されることによって矢印Ａ２方向に移動する。つまり、カバーキャップ１６は、矢印Ｂ１方向に回転されることによって容器本体１２に締め付けられ、矢印Ｂ２方向に回転されることによって容器本体１２から取り外される。この実施形態では、ねじ部２４が第３ねじ部に相当し、ねじ部６６が第４ねじ部に相当する。
【００３８】
また、図５をも参照して、カバーキャップ１６の内周面には、キャップ１４の突起４０ａが嵌合される嵌合部６８ａと、キャップ１４の突起４０ｂが嵌合される嵌合部６８ｂとが設けられる。嵌合部６８ａ，６８ｂは、互いに周方向に半周分離れるようにカバーキャップ１６の内周面に設けられ、それぞれ周方向に所定の間隔を有して配置される突起７０ａ，７０ｂによって構成される。このようなカバーキャップ１６は、たとえば、ＰＰ、ＰＥＴ、ＰＣ、ＰＳ（ポリスチレン）、またはＡＳ（アクリロニトリル・スチレン）等の合成樹脂からなる。この実施形態では、嵌合部６８ａの突起７０ａと嵌合部６８ｂの突起７０ｂとが第２突起に相当する。
【００３９】
カバーキャップ１６が矢印Ｂ２方向に回転されることによって、嵌合部６８ａの突起７０ａはキャップ１４の突起４０ａを矢印Ｂ２方向に押圧し、嵌合部６８ｂの突起７０ｂはキャップ１４の突起４０ｂを矢印Ｂ２方向に押圧する。これによってキャップ１４が矢印Ｂ２方向に回転される。
【００４０】
ついで、このような定量吐出容器１０における計量動作について説明する。
まず、図１に示す状態からカバーキャップ１６を矢印Ｂ２方向（図３参照）に回転させることによって、カバーキャップ１６が矢印Ａ２方向に移動する。これに伴って、キャップ１４が矢印Ｂ２方向に回転され矢印Ａ１方向に移動する。このとき容器本体１２内では、キャップ１４に取り付けられるパイプ４２が矢印Ａ１方向に移動し、遮断部４４が計量部３０に近づく。
【００４１】
そして、図６に示すように、カバーキャップ１６を矢印Ｂ２方向に９０°回転させた状態では、遮断部４４が計量部３０に嵌入し、計量部３０が容器本体１２内の他の空間から遮断される。これによって、計量部３０に収容される薬剤Ｌが容器本体１２内で隔離され、計量部３０に所定量の薬剤Ｌが計量される。また、これとともに、栓体４８ａの小径部５２ａがストッパ３２に接し、それ以上計量部３０に進入しないように栓体４８ａが止められる。
【００４２】
さらにカバーキャップ１６を矢印Ｂ２方向に回転させることによって、遮断部４４がより深く計量部３０内に嵌入する。そして、図７に示すように、カバーキャップ１６を矢印Ｂ２方向に１８０°回転させた状態では、ストッパ３２によって止められている栓体４８ａの斜面５６ａが遮断部４４の斜面４４ｂから離れ、溝５８ａを介して計量部３０とパイプ４２とが連通される。つまり、導入口４４ａが開放される。これによって、計量部３０に収容される所定量の薬剤Ｌを吐出可能となる。
【００４３】
また、カバーキャップ１６を矢印Ｂ２方向に１８０°回転させた状態では、キャップ１４の突起４０ａ，４０ｂがカバーキャップ１６の嵌合部６８ａ，６８ｂから外れるとともにキャップ１４の突起３８ａ，３８ｂが容器本体１２の嵌合部２６ａ，２６ｂに嵌合する。これによって、カバーキャップ１６のみが回転する状態となる。そして、カバーキャップ１６をさらに矢印Ｂ２方向に回転させることによって、図８に示すように、カバーキャップ１６が容器本体１２から取り外される。
【００４４】
その後、開口部１８ａを下側に配置することによって、つまり容器本体１２を逆さまに配置することによって、計量部３０の所定量の薬剤Ｌがノズル部３４に流下する。そして、図９に示すように、外栓４６ｂの栓体４８ｂが供給対象に押し当てられることによって、複数の弾性部材６０ｂが縮み、栓体４８ｂがノズル部３４内に移動し、ノズル部３４の斜面３４ｂから栓体４８ｂの斜面５６ｂが離れ、小径部５２ｂの溝５８ｂを介してノズル部３４と外部とが連通される。つまり、吐出口３４ａが開放される。これによって薬剤Ｌが吐出口３４ａから吐出され供給対象に塗布される。
【００４５】
図９に示す状態から図１に示す状態に戻す際には、容器本体１２に配置したカバーキャップ１６を矢印Ｂ１方向に回転させればよい。これによってカバーキャップ１６が矢印Ａ１方向に移動し、カバーキャップ１６の嵌合部６８ａ，６８ｂにキャップ１４の突起４０ａ，４０ｂが嵌合する。その後、さらにカバーキャップ１６を矢印Ｂ１方向に回転させることによって、キャップ１４が矢印Ａ１方向に移動し、計量部３０が容器本体１２内の他の空間に連通され図１に示す状態に戻る。
【００４６】
このような定量吐出容器１０によれば、容器本体１２の開口部１８ａを上側に配置した状態で計量部３０に薬剤Ｌが充填され、この状態でカバーキャップ１６を取り外すのみで計量部３０に所定量の薬剤Ｌが計量され所定量の薬剤Ｌを吐出可能な状態となる。したがって、容器本体１２を逆さまにして待機する必要がなく、迅速に所定量の薬剤Ｌを吐出できる。また、容器本体１２を水平面上に配置した状態で計量できるので、正確に計量でき、確実に所定量の薬剤Ｌを吐出できる。
【００４７】
キャップ１４がねじ部３６で容器本体１２のねじ部２２に螺合するので、キャップ１４を矢印Ｂ１方向に回転させることによって簡単にかつ確実にキャップ１４を矢印Ａ２方向に移動させることができ、キャップ１４を矢印Ｂ２方向に回転させることによって簡単にかつ確実にキャップ１４を矢印Ａ１方向に移動させることができる。
【００４８】
遮断部４４内で中栓４６ａの押圧部５０ａが栓体４８ａを計量部３０側に押圧することによって導入口４４ａを強固に閉鎖できる。
【００４９】
外栓４６ｂを設けることによって、図７や図８に示す状態で定量吐出容器１０が倒れても吐出口３４ａから薬剤Ｌが漏れることを防止できる。また、一箇所に供給する薬剤Ｌの量を容易に調節できる。さらに、供給対象が人体である場合、押圧部５０ｂによって押圧されクッション性を有する栓体４８ｂによって良好な使用感を与えることができる。
【００５０】
なお、上述の実施形態では、棒状のストッパ３２を設ける場合について説明したが、ストッパはこれに限定されない。たとえば栓体の軸方向の寸法が長い中栓を用いる場合、ストッパ３２を設ける必要はない。この場合、計量部３０の底板３０ａがストッパとして機能する。
【００５１】
また、上述の実施形態では、第１栓手段として中栓４６ａを用いる場合について説明したが、第１栓手段はこれに限定されない。ついで、図１０および図１１を参照して、この発明の他の実施形態の定量吐出容器１０ａについて説明する。定量吐出容器１０ａでは、上述の中栓４６ａに代えて第１栓手段として中栓８０が用いられ、パイプ４２に代えてパイプ８２が用いられる。それ以外は、定量吐出容器１０と同様に構成されるので、重複する説明は省略する。
【００５２】
中栓８０は、開口端１８ａ側端部が尖る円柱状に形成される栓体８４と、計量部３０に設けられ栓体８４を支持する支持部材８６とを含む。支持部材８６は、計量部３０の底面３０ａ上に固定される板状部材８６ａと、板状部材８６ａ上に立設され第１栓体である栓体８４が連結される棒状部材８６ｂとを含む。栓体８４は、支持部材８６によって所定位置に配置され、パイプ８２の遮断部８８に設けられる導入口９０に嵌入される。
【００５３】
このような定量吐出容器１０ａでは、図１０に示す状態からカバーキャップ１６を矢印Ｂ２方向（図３参照）に回転させることによって、キャップ１４が矢印Ａ１方向に移動し、栓体８４と導入口９０とがずれる。そして、さらにカバーキャップ１６を矢印Ｂ２方向に回転させることによって、図１１に示すように、導入口９０を閉鎖するための栓体８４が導入口９０から出て導入口９０が開放される。なお、図１１には図１０に示す状態からカバーキャップ１６を矢印Ｂ２方向に１８０°回転させた状態が示されている。
【００５４】
このような定量吐出容器１０ａによれば、キャップ１４の移動に伴って導入口９０が移動することによって、栓体８４と導入口９０とがずれて簡単に導入口９０を開閉できる。
【００５５】
なお、栓体８４および導入口９０の軸方向の寸法は、遮断部８８が計量部３０に嵌入するまでに栓体８４が導入口９０から出なければ任意に設定できる。
【００５６】
なお、上述の実施形態では、第２栓手段である外栓４６ｂを設ける場合について説明したが、この発明はこれに限定されない。第２栓手段を設けることなく吐出口から直接的に収容物を吐出するようにしてもよい。
【００５７】
さらに、上述の実施形態では、容器本体１２に液状の薬剤Ｌを収容する場合について説明したが、この発明はこれに限定されない。たとえば、粉末状の収容物を容器本体に収容するようにしてもよい。
【図面の簡単な説明】
【００５８】
【図１】この発明の定量吐出容器の一例を示す断面図解図である。
【図２】容器本体の正面図である。
【図３】定量吐出容器のＸ１−Ｘ１（図１）断面図である。
【図４】中栓の一例を示す正面図である。
【図５】定量吐出容器のＸ２−Ｘ２（図１）断面図である。
【図６】図１に示す状態からカバーキャップを９０°回転させた定量吐出容器を示す断面図である。
【図７】図１に示す状態からカバーキャップを１８０°回転させた定量吐出容器を示す断面図解図である。
【図８】カバーキャップが取り外された定量吐出容器を示す断面図である。
【図９】定量吐出容器の使用態様を示す断面図解図である。
【図１０】この発明の定量吐出容器の他の例を示す断面図である。
【図１１】図１０に示す状態からカバーキャップを１８０°回転させた定量吐出容器を示す断面図解図である。
【符号の説明】
【００５９】
１０      定量吐出容器
１２      容器本体
１４      キャップ
１６      カバーキャップ
１８      収容部
１８ａ，１８ｂ      開口部
２０      底部
２０ａ      底板
２２，２４，３６，６６      ねじ部
２６ａ，２６ｂ，６８ａ，６８ｂ      嵌合部
２８ａ，２８ｂ，３８ａ，３８ｂ，４０ａ，４０ｂ，７０ａ，７０ｂ      突起
３０      計量部
３２      ストッパ
３４ａ      吐出口
４２，８２      パイプ
４４，８８      遮断部
４４ａ，９０      導入口
４６ａ，８０      中栓
４６ｂ      外栓
４８ａ，４８ｂ，８４      栓体
５０ａ，５０ｂ      押圧部
８６      支持部材
Ｌ      薬剤
【図１】
2007276860.tif 000003
【図２】
2007276860.tif 000004
【図３】
2007276860.tif 000005
【図４】
2007276860.tif 000006
【図５】
2007276860.tif 000007
【図６】
2007276860.tif 000008
【図７】
2007276860.tif 000009
【図８】
2007276860.tif 000010
【図９】
2007276860.tif 000011
【図１０】
2007276860.tif 000012
【図１１】
2007276860.tif 000013